(57)【特許請求の範囲】
【請求項１】
ネットワークによって、ＩＣカードで利用するアプリケーションを管理する第１のサーバと、ＩＣカード利用者情報を管理する第２のサーバと、ＩＣカードリーダライタが接続された端末とが接続され、ＩＣカード利用者が利用を希望するアプリケーションに対する許可情報管理を、前記第１のサーバで行うことを可能としたＩＣカード利用管理システムであって、
前記ＩＣカードには、
予め搭載された複数種類のアプリケーションと、前記搭載された複数種類のアプリケーションに対して、利用の許可又は不許可に関する利用許可情報を登録する記憶手段と、前記記憶手段に登録された前記利用許可情報に基づいて、ＩＣカードに予め搭載された複数種類のアプリケーションの利用に関する制御処理を行う制御手段と、を備え、
前記端末には、
前記ＩＣカードに搭載された複数種類のアプリケーションの中から、ＩＣカード利用者が利用を希望するアプリケーションを特定し、利用許可申請を行うための許可申請情報を入力する入力手段と、前記入力手段から入力した許可申請情報を前記第２のサーバに送信し、更に前記第２のサーバから利用許可情報を受信する通信手段と、前記通信手段で受信した利用許可情報を、前記ＩＣカードリーダライタを介してＩＣカードに送信させる制御手段と、を備え、
前記第２のサーバには、
ＩＣカード利用者情報が登録されたＩＣカード利用者情報データベースと、前記端末から受信した許可申請情報を前記第１のサーバに送信し、更に前記第１のサーバから受信した利用許可情報を前記端末に送信する通信手段と、を備え、
前記第１のサーバには、
前記第２のサーバから受信した許可申請情報に対して、利用許可の判定を行う利用許可判定手段と、前記利用許可判定手段による判定の結果から、そのＩＣカード利用者に対して利用許可を与える場合に、その利用許可を与えるＩＣカード情報を登録する利用許可情報データベースと、前記第１のサーバから前記第２のサーバに前記利用許可情報を送信する通信手段と、
を備えたことを特徴とするＩＣカード利用管理システム。
【請求項２】
前記ＩＣカードの記憶手段には、ＩＣカード利用者を特定することができるＩＤ情報が記憶され、前記第２のサーバのＩＣカード利用者情報データベースのＩＣカード利用者情報としてＩＤ情報が記憶され、前記第２のサーバには、前記ＩＣカードの記憶手段から読み取ったＩＤ情報と、前記ＩＣカード利用者情報データベースに登録されたＩＤ情報とを照合判定する照合判定手段が備えられていることを特徴とする請求項１記載のＩＣカード利用管理システム。
【請求項３】
前記第１のサーバには、ＩＣカードで利用するアプリケーションの情報が登録されているアプリケーションデータベースが設けられていることを特徴とする請求項１記載のＩＣカード利用管理システム。
【発明の詳細な説明】
【０００１】
【発明の属する技術分野】
本発明は、ＩＣカードに予め搭載された複数種類のアプリケーションに対して、ＩＣカード利用者が利用を希望するアプリケーションだけに限定して利用許可申請を行うことができるＩＣカード利用管理システムに関する。
【０００２】
【従来の技術】
近年、ＩＣカードの利用分野や利用用途が広範囲となるに伴って、ＩＣカードの製造時に、予め利用可能性のある複数種類のアプリケーションを搭載しておき、種々の要求に対応できるようにしておくことが行われている。
したがって、これらＩＣカードに搭載した複数種類のアプリケーションの中には、全てのＩＣカード利用者が必ず利用するものと、ＩＣカード利用者毎に選択して利用するものとが搭載されている場合があり、あるＩＣカード利用者にとっては、利用しない不必要なアプリケーションが予め搭載されたＩＣカードを発行されることにもなる。
【０００３】
また、ＩＣカードのアプリケーションを提供するＩＣカード製造者などは、ＩＣカードを販売する際にこれらＩＣカードに搭載した複数種類のアプリケーションの全てについての費用を、ＩＣカードの価格に含めて販売している。
してがって、ＩＣカード製造者からＩＣカードを購入する者は、不必要なアプリケーションに対する代金の支払いを行なっていることとなる。
【０００４】
通常、ＩＣカード製造者からＩＣカードを購入する者は、例えばクレジット会社や、サービスや商品を提供する会社であることが多く、これらの会社が顧客である一般消費者に対してＩＣカードの発行を行う場合が一般的である。
したがって、直接的には、これらのＩＣカード発行会社がＩＣカード製造者からＩＣカードを購入するため、不必要なアプリケーションに対する余分な代金の支払いを行なっている可能性が高い。
【０００５】
また、ＩＣカード発行会社がＩＣカードの購入におけるコストを低減させるために、場合によってはＩＣカード発行会社がＩＣカードの発行に伴う費用をＩＣカード利用者から直接的に取ったり、又は商品やサービスの価格に付加するなどして間接的に取る場合も考えられ、これら無駄なコストへの対策が問題となる。
【０００６】
【発明が解決しようとする課題】
本発明は、予め搭載された複数種類のアプリケーションを有するＩＣカードについて、各ＩＣカード利用者毎に、それらの搭載された複数種類のアプリケーションの中から、ＩＣカード利用者が自由に利用を希望するアプリケーションだけを選択して利用できるようにすることで、ＩＣカード利用者が利用しないアプリケーションに対する費用が発生しないようにしたＩＣカード利用管理システムを提供する。
【０００７】
【課題を解決するための手段】
本発明のＩＣカード利用管理システムは、ネットワークによって、ＩＣカードで利用するアプリケーションを管理する第１のサーバと、ＩＣカード利用者情報を管理する第２のサーバと、ＩＣカードリーダライタが接続された端末とが接続され、ＩＣカード利用者が利用を希望するアプリケーションに対する許可情報管理を、前記第１のサーバで行うことを可能としたＩＣカード利用管理システムであって、前記ＩＣカードには、予め搭載された複数種類のアプリケーションと、前記搭載された複数種類のアプリケーションに対して、利用の許可又は不許可に関する利用許可情報を登録する記憶手段と、前記記憶手段に登録された前記利用許可情報に基づいて、ＩＣカードに予め搭載された複数種類のアプリケーションの利用に関する制御処理を行う制御手段と、を備え、前記端末には、前記ＩＣカードに搭載された複数種類のアプリケーションの中から、ＩＣカード利用者が利用を希望するアプリケーションを特定し、利用許可申請を行うための許可申請情報を入力する入力手段と、前記入力手段から入力した許可申請情報を前記第２のサーバに送信し、更に前記第２のサーバから利用許可情報を受信する通信手段と、前記通信手段で受信した利用許可情報を、前記ＩＣカードリーダライタを介してＩＣカードに送信させる制御手段と、を備え、前記第２のサーバには、ＩＣカード利用者情報が登録されたＩＣカード利用者情報データベースと、前記端末から受信した許可申請情報を前記第１のサーバに送信し、更に前記第１のサーバから受信した利用許可情報を前記端末に送信する通信手段と、を備え、前記第１のサーバには、前記第２のサーバから受信した許可申請情報に対して、利用許可の判定を行う利用許可判定手段と、前記利用許可判定手段による判定の結果から、そのＩＣカード利用者に対して利用許可を与える場合に、その利用許可を与えるＩＣカード情報を登録する利用許可情報データベースと、前記第１のサーバから前記第２のサーバに前記利用許可情報を送信する通信手段と、を備えたことを特徴とする。
【０００８】
また、本発明のＩＣカード利用管理システムは、前記ＩＣカードの記憶手段には、ＩＣカード利用者を特定することができるＩＤ情報が記憶され、前記第２のサーバのＩＣカード利用者情報データベースのＩＣカード利用者情報としてＩＤ情報が記憶され、前記第２のサーバには、前記ＩＣカードの記憶手段から読み取ったＩＤ情報と、前記ＩＣカード利用者情報データベースに登録されたＩＤ情報とを照合判定する照合判定手段が備えられていることを特徴とする。
【０００９】
更に、本発明のＩＣカード利用管理システムは、前記第１のサーバには、ＩＣカードで利用するアプリケーションの情報が登録されているアプリケーションデータベースが設けられていることを特徴とする。
【００１０】
【発明の実施の形態】
以下、本発明の実施の形態を図面に基づいて詳細に説明する。
図１は、本発明の一実施形態に係るＩＣカード利用管理システムの概略構成図、図２は、本発明の一実施形態に係るＩＣカード利用管理システムに用いるＩＣカードのシステムブロック図、図３は、本発明の一実施形態に係るＩＣカード利用管理システムのシステムブロック図、図４及び図５は、本発明の一実施形態に係るＩＣカード利用管理システムの処理手順を示すフローチャートである。
【００１１】
図１に示すように、本発明の一実施形態に係るＩＣカード利用管理システム１は、ＩＣカードで利用するアプリケーションを提供するアプリケーション提供者が所有し、ＩＣカードで利用するアプリケーションを管理するために設けた第１のサーバ２と、ＩＣカード発行者がＩＣカード利用者情報を管理するために設けた第２のサーバ３と、ＩＣカード利用者が所有するＩＣカードリーダライタ４が接続された端末５と、ネットワーク７によって接続された構成を有していて、ＩＣカード利用者がＩＣカードリーダライタ４のＩＣカード挿入口８に自らが所持するＩＣカード６を挿入することで、ＩＣカード６に記憶された情報を読み出したり、またネットワーク７を介して端末が受信した情報をＩＣカード６に書き込むことができるようにシステム化されている。
【００１２】
そして、このＩＣカード６には、データ入出力手段２５、制御手段２６、記憶手段２７が備えられている。
記憶手段２６には、ＩＣカード利用者がそのＩＣカード６の正規の使用者であることを証明するために、予めＩＣカードの記憶手段に記憶されたＩＣカードＩＤ情報や、更にＩＣカード内で利用するための複数種類のアプリケーションが予め登録されている。
【００１３】
ＩＣカード利用者が所有する端末５に接続されたＩＣカードリーダライタ４には、ＩＣカード６から情報の読み取りを行う情報読取手段９と、ＩＣカード６に対して情報の書き込みを行う情報書込手段１０とを有している。
また、ＩＣカード利用者が所有する端末５には、表示手段１１、入力手段１２、記憶手段１３、制御手段１４、通信手段１５とを備えている。
【００１４】
次に、アプリケーション提供者の第１のサーバ２には、第２のサーバ３から受信した許可申請情報に対して、利用許可の判定を行う利用許可判定手段１６と、前記利用許可判定手段１６による判定の結果から、そのＩＣカード利用者に対して利用許可を与えた場合に、利用許可を与えたＩＣカード情報を登録する利用許可情報データベース１７と、ＩＣカード６で利用するアプリケーションが登録されているアプリケーションデータベース１８と、この第１のサーバ２から第２のサーバ３に利用許可情報を送信する通信手段１９と、制御手段２０とが備えられている。
【００１５】
次に、ＩＣカード発行者の第２のサーバ２には、ＩＣカード利用者情報が登録されたＩＣカード利用者情報データベース２１と、ＩＣカード利用者の端末５から受信した許可申請情報をアプリケーション提供者の第１のサーバ２に送信し、更に第１のサーバ２から受信した利用許可情報をＩＣカード利用者の端末５に送信する通信手段２２と、ＩＣカード利用者の端末５に接続されたＩＣカードカードリーダ４によりＩＣカード６の記憶手段から読み取ったＩＤ情報と、アプリケーション提供者の第１のサーバ２に備えられたＩＣカード利用者情報データベース１７に登録されたＩＤ情報とを照合判定する照合判定手段２３と、制御手段２４とが備えられている。
【００１６】
次に、本発明の実施形態にかかるＩＣカード利用管理システムの処理手順を、図４のフローチャートに基づいて説明する。
まず、ＩＣカード利用者は、ＩＣカード６をＩＣカードリーダライタ４に備えられたＩＣカード挿入口から挿入する（Ｓ１）。
そして、ＩＣカードリーダライタ４でＩＣカード６の記憶手段２７に登録されているＩＣカードＩＤ情報を読み取る（Ｓ２）。
【００１７】
次に、端末５の入力手段１２から、ＩＣカード６の記憶手段２７に登録されているアプリケーションの中から、ＩＣカード利用者が利用を希望するアプリケーションの関する許可申請情報を入力する（Ｓ３）。
これらの許可申請情報としては、例えば利用を希望するアプリケーションを特定するアプリケーション管理番号、アプリケーションを利用する希望期間、利用回数、などの情報がある。
次に、ＩＣカード６の記憶手段２７から読み取られたＩＣカードＩＤ情報と、ＩＣカード利用者が入力した許可申請情報とを、ＩＣカード利用者の端末５からネットワーク７を介してＩＣカード発行者の第２のサーバ３に送信する（Ｓ４）。
【００１８】
ＩＣカード発行者の第２のサーバ３において、照合判定手段２３により、ＩＣカード利用者情報データベース２１に予め登録されているＩＣカードＩＤ情報と第２のサーバ３で受信したＩＣカードＩＤ情報との照合処理を行ないこれらの照合情報が一致するか否かについて判定する（Ｓ５）。
照合判定手段２３による結果（Ｓ６）、照合判定手段２３による結果が照合一致したことを条件に、端末５から受信した許可申請情報を第２のサーバ３から第１のサーバ２に転送される（Ｓ７）。
【００１９】
次に、許可申請情報を受信した第１のサーバ２において、利用許可情報データベース１７に登録されている利用許可情報に基づいて、利用許可判定手段１６により、受信した許可申請情報に対して利用許可を与えてもよいか否かの判定を行う（Ｓ８）。
【００２０】
そして、利用許可判定手段１６による判定の結果（Ｓ９）、利用許可を行なってもよいとの判定が下された場合に、その利用許可情報とその許可を与えたＩＣカード発行者を特定する情報を、利用許可情報データベース１７に登録する（Ｓ１０）。
【００２１】
これらの利用許可情報データベース１７に登録した、その利用許可情報とその許可を与えたＩＣカードのＩＣカード発行者に関する情報とにより使用料を算出することで、後日にアプリケーション提供者からＩＣカード発行者に対するアプリケーションの使用料の請求が行われる。
また、ＩＣカード発行者は、アプリケーション提供者から請求のあったアプリケーションの使用料を、更にＩＣカード利用者に対して振り替えて行うことで、ＩＣカード利用者がその使用料を支払うようにしてもよい。
【００２２】
次に、第１のサーバ２から、利用許可情報がネットワーク７を介してＩＣカード発行者の第２のサーバ３に送信される（Ｓ１１）。
次に、ＩＣカード発行者の第２のサーバ３からネットワーク７を介してＩＣカード利用者の端末５に、利用許可情報が送信される（Ｓ１２）。
そして、この利用許可情報を受信したＩＣカード利用者の端末５から、ＩＣカードリーダライタ４を通じてＩＣカード６の記憶手段２７に、予めＩＣカード６の記憶手段２７に登録されている複数種類のアプリケーションに対する利用の許可又は不許可に関する利用許可情報が書き込まれる（Ｓ１３）。
【００２３】
そして、ＩＣカードに登録されている複数種類のアプリケーションを利用する際に、ＩＣカード６の制御手段２６が記憶手段２７に登録された利用許可情報を確認し、利用許可情報が登録されているアプリケーションに限定して利用を可能とする処理が行われる（Ｓ１４）。
したがって、記憶手段２７に利用許可情報されていないアプリケーションについては、制御手段により利用停止の制御が行われることとなる。
【００２４】
そして、アプリケーション提供者の第１のサーバ２に備えられた利用許可情報データベース１７に登録された利用許可情報に基づいて、アプリケーションの利用料金を算出して、アプリケーション提供者からＩＣカード発行者に対して代金支払請求を行えばよい。
以上の処理手順により、本発明のＩＣカード利用管理システムの処理が行われる。
【００２５】
【発明の効果】
以上説明したように、本発明のＩＣカード利用管理システムは、予め搭載された複数種類のアプリケーションを有するＩＣカードについて、各ＩＣカード利用者毎に、それらの搭載された複数種類のアプリケーションの中から、ＩＣカード利用者が自由に利用を希望するアプリケーションだけを選択して利用できるようにし、利用許可を与えたアプリケーションに関する情報をデータベースに登録できるようにしたので、利用したアプリケーションだけの利用料金を算出して、支払うことが可能となり、ＩＣカード利用者が利用しないアプリケーションに対する費用が発生しないようにすることができるという効果がある。
【００２６】
また、ＩＣカード発行者の第２のサーバに照合判定手段を設けることで、正当な権利を有するＩＣカード利用者だけの処理を行うことができ、セキュリティーを保持することができるという効果がある。
【図面の簡単な説明】
【図１】本発明の一実施形態に係るＩＣカード利用管理システムの概略構成図である。
【図２】本発明の一実施形態に係るＩＣカード利用管理システムに用いるＩＣカードのシステムブロック図である。
【図３】本発明の一実施形態に係るＩＣカード利用管理システムのシステムブロック図である。
【図４】本発明の一実施形態に係るＩＣカード利用管理システムの処理手順を示すフローチャートである。
【図５】本発明の一実施形態に係るＩＣカード利用管理システムの処理手順を示すフローチャートである。
【符号の説明】
１  本発明の一実施形態に係るＩＣカード利用管理システム
２  アプリケーション提供者の第１のサーバ
３  ＩＣカード発行者の第２のサーバ
４  ＩＣカードリーダライタ
５  ＩＣカード利用者の端末
６  ＩＣカード
７  ネットワーク
８  ＩＣカード挿入口
９  情報読取手段
１０  情報書込手段
１１  表示手段
１２  入力手段
１３，２７  記憶手段
１４，２０，２４，２６  制御手段
１５，１９，２２  通信手段
１６  利用許可判定手段
１７  利用許可情報データベース
１８  アプリケーションデータベース
２１  ＩＣカード利用者情報データベース
２５  データ入出力手段
【図１】
0004220149.tif 000002
【図２】
0004220149.tif 000003
【図３】
0004220149.tif 000004
【図４】
0004220149.tif 000005
【図５】
0004220149.tif 000006